(57)【要約】      （修正有）【課題】異なる厚さの２．５インチの記憶装置を収納することに適用される２．５インチの記憶装置キャリアを提供する。【解決手段】記憶装置キャリアは、高さが異なる複数の支持面を有する回転可能な記憶装置固定部材２３、２６を有する。記憶装置固定部材２３は、バネ２８とねじ２９で位置を固定し、記憶装置固定部材２６も、類似したバネ３８とねじ３９で位置を固定する。支持片３及び側壁１９に設置された２つの支持柱４は取り付けようとする記憶装置を位置決めすることに用いられる。記憶装置固定部材２３、２６は３つの高さが異なる支持面を有し、それぞれ長いハンドル２１、短いハンドル２２及び支持平面２７を有する。異なる支持面は、異なる厚さの記憶装置に接触し、記憶装置を記憶装置キャリア内に安定的に固定させる。【選択図】図２
2019133733.tif 000002
【特許請求の範囲】
【請求項１】
異なる厚さの記憶装置を固定するための記憶装置キャリアであって、
２つの側壁を含む本体と、
複数の支持面を有する回転可能な部材であって、異なる厚さの記憶装置を前記記憶装置キャリアに固定するための少なくとも１つの記憶装置固定部材と、
を備える記憶装置キャリア。
【請求項２】
前記２つの側壁には前記少なくとも１つの記憶装置固定部材がそれぞれ設置される請求項１に記載の記憶装置キャリア。
【請求項３】
前記支持面は数が３つであり、それぞれ長いハンドル上の支持面、短いハンドル上の支持面及び支持平面を含む請求項１又は２に記載の記憶装置キャリア。
【請求項４】
前記２つの側壁は互いに垂直である請求項１〜３のいずれか１項に記載の記憶装置キャリア。
【請求項５】
前記少なくとも１つの記憶装置固定部材は少なくとも１つの位置決めバンプを有する請求項１〜４のいずれか１項に記載の記憶装置キャリア。
【請求項６】
前記２つの側壁は、前記少なくとも１つの位置決めバンプと係合して前記少なくとも１つの記憶装置固定部材の回転を制限するための少なくとも１つの凹溝を有する請求項５に記載の記憶装置キャリア。
【請求項７】
前記少なくとも１つの位置決めバンプを前記少なくとも１つの凹溝に入らせるバネを更に含む請求項６に記載の記憶装置キャリア。
【請求項８】
前記少なくとも１つの記憶装置固定部材を前記２つの側壁の中の対応の一つに固定するためのねじを更に含む請求項１〜７のいずれか１項に記載の記憶装置キャリア。
【請求項９】
請求項１〜８のいずれか１項に記載の記憶装置キャリアを提供することと、
第１の厚さを有する第１の記憶装置を前記記憶装置キャリアの中に置くことと、
前記支持面の中の１つが前記第１の記憶装置に接触するまで前記少なくとも１つの記憶装置固定部材を回転させることと、
を含む操作方法。
【請求項１０】
前記第１の厚さを有する前記第１の記憶装置を前記記憶装置キャリアから取り除くことと、
前記第１の厚さと異なる第２の厚さを有する第２の記憶装置を置くことと、
前記支持面の中の１つが前記第２の記憶装置に接触するまで前記少なくとも１つの記憶装置固定部材を回転させることと、
を更に含む請求項９に記載の操作方法。
【発明の詳細な説明】
【技術分野】
【０００１】
本発明は異なる厚さの２．５インチの記憶装置を収納することに適用される記憶装置キャリア及びその操作方法に関する。
【発明の概要】
【発明が解決しようとする課題】
【０００２】
一般的な２．５インチの記憶装置の厚さが７ミリメートル、９．５ミリメートル又は１５ミリメートルであるが、従来の記憶装置キャリアは、厚さが７ミリメートルの記憶装置を支持することのみに適用される。単一のキャリア内に異なる厚さの記憶装置を収納して、且つ記憶装置を所定位置に固定するために、記憶装置キャリアの構造を調整しなければならない。
【課題を解決するための手段】
【０００３】
本発明の一実施形態によれば、異なる厚さの２．５インチの記憶装置を支持し且つそれを所定位置に固定するキャリア及び方法を提供する。
【０００４】
本発明の別の実施形態によれば、それぞれ高さが異なる３つの支持面を有する記憶装置固定部材が設置される互いに垂直である２つの側壁を有する２．５インチの記憶装置キャリアを提供する。
【０００５】
本発明の更なる別の実施形態によれば、記憶装置固定部材が短いハンドル、長いハンドル及び支持平面を有することにより、記憶装置固定部材が回転する時に異なる厚さの記憶装置を安定的に固定することができる。記憶装置が記憶装置固定部材の不意の回動によって緩められることを防止するために、記憶装置固定部材は記憶装置位置決め部材の回動を防止するための２つの位置決めバンプを更に含む。回転可能な記憶装置固定部材は、記憶装置固定部材を記憶装置に対して高精度に位置決めさせるねじ及びバネを含んでよい。
【図面の簡単な説明】
【０００６】
【図１】従来の２．５インチの記憶装置キャリアを示す斜視模式図である。
【図２】互いに垂直である２つの側壁を示す模式図であり、２つの側壁にねじ及びバネで固定された記憶装置固定部材をそれぞれ有する。
【図３】記憶装置固定部材を示す拡大図である。
【図４】本発明による２．５インチの記憶装置キャリアを示す模式図であり、厚さが７ミリメートルの記憶装置が記憶装置固定部材の長いハンドルによって固定される。
【図５】本発明による２．５インチの記憶装置キャリアを示す模式図であり、厚さが９．５ミリメートルの記憶装置が記憶装置固定部材の短いハンドルによって固定される。
【図６】本発明による２．５インチの記憶装置キャリアを示す模式図であり、厚さが１５ミリメートルの記憶装置が記憶装置固定部材の支持平面によって固定される。
【発明を実施するための形態】
【０００７】
以下、図面を参照して本発明を説明し、図面において同じ部材符号で類似又は同等の部材を指定する。図面は、縮尺通りに描かれていなく、且つ単に本発明を説明するために提供されている。以下、説明するための例示的な応用を参照して本発明の複数の様態を説明する。以下、本発明を完全に理解するために複数の具体的な細部、関係及び方法を提供することを理解すべきである。しかし、当業者は１つ又は複数の具体的な細部がない場合には又は他の方法で本発明を実施してよいことを見やすくなる。他の実施例において、本発明が不明瞭にならないように従来の構造又は操作を詳しく提示しない。幾つかの動作が異なる順序で発生するか及び／又は他の動作又はイベントと同時に発生する可能性があるので、本発明が動作又はイベント説明の順序で限定されない。なお、すべての示した動作又はイベントがいずれも本発明の方法によって実施されるわけでもない。
【０００８】
図１は従来の２．５インチの記憶装置キャリア１０を示す斜視模式図であり、その内に７ミリメートルの記憶装置１２が取り付けられる。調整できない固定具１４、１６によって７ミリメートルの記憶装置１２を固定する。図１に示す記憶装置キャリア１０には任意の厚さが９．５ミリメートル又は１５ミリメートルの記憶装置を位置決めして固定させることができる機構がない。
【０００９】
図２は本発明の互いに垂直である２つの側壁１９、２０の模式図である。２つの側壁１９、２０には記憶装置固定部材２３、２６がそれぞれ設置され、記憶装置固定部材２３がバネ２８とねじ２９で位置を固定し、記憶装置固定部材２６が類似したバネ３８とねじ３９で位置を固定する。支持片３及び側壁１９に設置された２つの支持柱４は取り付けようとする記憶装置を位置決めすることに用いられる。
【００１０】
以下、図３を参照して記憶装置固定部材２３を詳しく説明する。記憶装置固定部材２３、２６の構造が同じであるため、記憶装置固定部材２３に関する詳細な敘述が同様に記憶装置固定部材２６に適用される。図３において、記憶装置固定部材２３は２つの位置決めバンプ２４、２５を示すように拡大され、突起の形で図面に示される。位置決めバンプ２４、２５は図２における側壁１９（又は側壁２０）での凹溝３４、３５と係合されて、これにより記憶装置固定部材２３を固定位置に保持し、且つ前記少なくとも１つの記憶装置固定部材の回転を制限する。同時に、図２におけるバネ２８の弾性力によって記憶装置固定部材２３を固定の回転位置にロックし、即ち位置決めバンプ２４、２５を凹溝３４、３５に入らせるために弾性力（ｂｉａｓ）を加える。図３から分かるように、記憶装置固定部材２３は３つの高さが異なる支持面を有し、それぞれ長いハンドル２１、短いハンドル２２及び支持平面２７である。上記高さが異なる３つの支持面は異なる高さの記憶装置を記憶装置キャリア３０内（以下、図４〜図６を参照して説明したもののように）に安定的に固定することに用いられる。言い換えると、記憶装置固定部材２３は複数の支持面を有する回転可能な部材である。
【００１１】
図４に示すように、記憶装置キャリア３０は互いに垂直である２つの側壁１９、２０を含む本体３１を備え、厚さが７ミリメートルの記憶装置１２が記憶装置キャリア３０内に置かれる場合、長いハンドル２１により記憶装置１２を固定する。
【００１２】
図５に示すように、厚さが９．５ミリメートルの記憶装置３２が記憶装置キャリア３０内に置かれる場合、短いハンドル２２により記憶装置３２を固定する。
【００１３】
図６に示すように、厚さが１５ミリメートルの記憶装置４２が記憶装置キャリア３０内に置かれる場合、支持平面２７により記憶装置４２を固定する。
【００１４】
図４〜図６に示すように、記憶装置固定部材２６と記憶装置固定部材２３とは同じであり、上記高さが異なる３つの支持面を有し、厚さが異なる記憶装置１２、３２、４２を固定するように同じ形態で利用される。記憶装置固定部材２３（又は記憶装置固定部材２６）の調整可能な固定能力を提供ように異なる高さの長いハンドル、短いハンドル及び支持平面を連続的に湾曲したカムプロファイルに変更してもよく、これにより任意の厚さが７ミリメートル〜１５ミリメートルの範囲にある記憶装置が記憶装置キャリア内に安定的に位置決めされることができる。勿論、別に異なる厚さを含むか、又は挙げられた３つの特定の厚さを代替してもよい。
【００１５】
このため、記憶装置キャリア３０は記憶装置キャリア３０自身を大幅に変更する必要とせずに厚さが異なる３つの記憶装置１２、３２、４２を収納することができる。記憶装置が異なる厚さを有すると要求されると、新たな記憶装置固定部材を提供するだけで異なる厚さに対応する必要がある。
【００１６】
本文に使用された用語は単に特定な実施形態を説明するためのものであり、本発明を限定するためのものではない。本文に使用されるように、文脈に特に明示しない限り、単数形「一」及び「前記」は複数形も含むことが意図されている。なお、実施形態及び／又は請求の範囲に「備える」、「有する」等の用語又はその変形を使用する時、「含む」に類似した意味を表現するためのものである。
【００１７】
特に定義されない限り、本文に使用されたすべての用語（技術及び科学用語を含む）は本発明の当業者が一般的に理解する意味を有する。なお、例えば常用の辞典に定義された用語は本発明の関連分野の意味と一致するように理解すべき、且つ明確に定義されない限り、理想化又は過度に正式な意味で解釈されない。
【符号の説明】
【００１８】
３  支持片
４  支持柱
１０、３０  記憶装置キャリア
１２、３２、４２  記憶装置
１４、１６  固定具
１９、２０  側壁
２１  長いハンドル
２２  短いハンドル
２３、２６  記憶装置固定部材
２４、２５  位置決めバンプ
２７  支持平面
２８、３８  バネ
２９、３９  ねじ
３１  本体
３４、３５  凹溝
【図１】
2019133733.tif 000003
【図２】
2019133733.tif 000004
【図３】
2019133733.tif 000005
【図４】
2019133733.tif 000006
【図５】
2019133733.tif 000007
【図６】
2019133733.tif 000008